(57)【要約】【課題】カーテン生地の間隔を増大させることなく、カーテン生地をキャリアに容易に取付け得るスライドスクリーンを提供する。【解決手段】ハンガーレール２にランナー４ａ〜４ｈを介して複数のキャリア５ａ〜５ｄを移動可能に支持し、各キャリア５ａ〜５ｂからそれぞれ平板状のカーテン生地１ａ〜１ｄを吊下支持し、先頭のカーテン生地１ａをハンガーレール２に沿って移動させることにより、カーテン生地１ａ〜１ｄをハンガーレール２に沿って順次引き出し、あるいはハンガーレール２の一側に収納可能としたスライドスクリーンにおいて、キャリア５ａ〜５ｄを前記ランナー４ａ〜４ｈに対しハンガーレール２の幅方向に回動可能に支持した。【選択図】        図５
2004243093.tif 000002
【特許請求の範囲】
【請求項１】
ハンガーレールにランナーを介して複数のキャリアを移動可能に支持し、前記各キャリアからそれぞれ平板状のカーテン生地を吊下支持し、先頭のカーテン生地をハンガーレールに沿って移動させることにより、前記カーテン生地をハンガーレールに沿って順次引き出し、あるいはハンガーレールの一側に収納可能としたスライドスクリーンにおいて、
前記キャリアを前記ランナーに対しハンガーレールの幅方向に回動可能に支持したことを特徴とするスライドスクリーン。
【請求項２】
前記ランナーは、本体に対し吊下げ部材を回動可能に支持し、前記吊下げ部材に前記キャリアを取着したことを特徴とする請求項１記載のスライドスクリーン。
【請求項３】
前記キャリアは、一対のランナーで支持し、２個のキャリアを共通のハンガーレールに沿って追随可能に支持したことを特徴とする請求項１または２記載のスライドスクリーン。
【請求項４】
前記カーテン生地は、各キャリアの前面に取着したことを特徴とする請求項１乃至３のいずれかに記載のスライドスクリーン。
【請求項５】
前記カーテン生地は、前記キャリアに対し面ファスナーで取着したことを特徴とする請求項１乃至４のいずれかに記載のスライドスクリーン。
【請求項６】
前記カーテン生地は両開き構造にて構成されるとともに、全閉時には前記ハンガーレールの中央にて該ハンガーレールの幅方向に重合するように構成され、前記ハンガーレールの中央にて重合するカーテン生地をそれぞれ吊下支持する前記キャリアの少なくとも一方には、該キャリアと他方のキャリアとがともに垂直方向に吊下支持されるように案内するキャリアガイドを設けたことを特徴とする請求項１乃至５のいずれかに記載のスライドスクリーン。
【請求項７】
前記キャリアガイドは前記キャリアの移動方向に対して傾斜し、前記ハンガーレールの中央にて対向する両キャリアを前記ハンガーレールの幅方向に離間させるガイド面を備えていることを特徴とする請求項６に記載のスライドスクリーン。
【発明の詳細な説明】
【０００１】
【発明の属する技術分野】
この発明は、カーテン生地を平板状に引き延ばした状態でハンガーレールに沿って移動可能に吊下支持するスライドスクリーンに関するものである。
【０００２】
【従来の技術】
スライドスクリーンは、ハンガーレール内を移動する複数のランナーにそれぞれキャリアがハンガーレールの幅方向に所定間隔を隔てて吊下支持され、そのキャリアからそれぞれ平板状のカーテン生地が吊下支持される。
【０００３】
このような構成により、複数枚のカーテン生地が平板状に吊下支持された状態で、ハンガーレールに沿って引き違い操作可能となっている。
このようなスライドスクリーンは、特許文献１あるいは特許文献２に開示されている。
【０００４】
上記のようなスライドスクリーンでは、カーテン生地をハンガーレールに沿って引き出すとき、先頭のカーテン生地の端縁を把持して引き出すと、後続のカーテン生地が順次引き出される。
【０００５】
また、カーテン生地をハンガーレールの一側に収納する場合には、先頭のカーテン生地の端縁を把持して移動させると、後続のカーテン生地とともに収納される。
【０００６】
【特許文献１】
特開２００１−３１４３１２
【特許文献２】
実公平１−３１７５８
【０００７】
【発明が解決しようとする課題】
上記のようなスライドスクリーンにおいて、カーテン生地をキャリア（カーテン取り付け台）に取着するには、まずハンガーレールに移動可能に支持されたランナーに対しキャリアを取着し、そのキャリアにカーテン生地の上端部を面ファスナー等で取着する。
【０００８】
このような取り付け操作時にキャリアがハンガーレールの幅方向に近接して支持されていると、最前部のキャリア以外の後方のキャリアへのカーテン生地の取り付けが煩雑となる。
【０００９】
また、各キャリアへのカーテン生地の取り付けを容易に行い得るように、各キャリアの間隔を十分に確保すると、各カーテン生地の間隔が増大して、その隙間から光洩れが生じ易くなるとともに、ハンガーレールが大型化するという問題点がある。
【００１０】
この発明の目的は、カーテン生地の間隔を増大させることなく、カーテン生地をキャリアに容易に取付け得るスライドスクリーンを提供することにある。
【００１１】
【課題を解決するための手段】
請求項１では、ハンガーレールにランナーを介して複数のキャリアを移動可能に支持し、前記各キャリアからそれぞれ平板状のカーテン生地を吊下支持し、先頭のカーテン生地をハンガーレールに沿って移動させることにより、前記カーテン生地をハンガーレールに沿って順次引き出し、あるいはハンガーレールの一側に収納可能としたスライドスクリーンにおいて、前記キャリアを前記ランナーに対しハンガーレールの幅方向に回動可能に支持した。
【００１２】
請求項２では、前記ランナーは、本体に対し吊下げ部材を回動可能に支持し、前記吊下げ部材に前記キャリアを取着した。
請求項３では、前記キャリアは、一対のランナーで支持し、２個のキャリアを共通のハンガーレールに沿って追随可能に支持した。
【００１３】
請求項４では、前記カーテン生地は、各キャリアの前面に取着した。
請求項５では、前記カーテン生地は、前記キャリアに対し面ファスナーで取着した。
【００１４】
請求項６では、前記カーテン生地は両開き構造にて構成されるとともに、全閉時には前記ハンガーレールの中央にて該ハンガーレールの幅方向に重合するように構成され、前記ハンガーレールの中央にて重合するカーテン生地をそれぞれ吊下支持する前記キャリアの少なくとも一方には、該キャリアと他方のキャリアとがともに垂直方向に吊下支持されるように案内するキャリアガイドを設けた。
【００１５】
請求項７では、前記キャリアガイドは前記キャリアの移動方向に対して傾斜し、前記ハンガーレールの中央にて対向する両キャリアを前記ハンガーレールの幅方向に離間させるガイド面を備えた。
【００１６】
【発明の実施の形態】
（第一の実施の形態）
以下、この発明を具体化した第一の実施の形態を図面に従って説明する。図１に示すスライドスクリーンは、４枚のカーテン生地１ａ〜１ｄがハンガーレール２に沿って移動可能に吊下支持されている。
【００１７】
図２及び図３に示すように、前記ハンガーレール２は前レール３ａと後レール３ｂとから構成され、前レール３ａ内にはカーテン生地１ａを吊下支持するための２個のランナー４ａ，４ｂと、カーテン生地１ｂを吊下支持するための２個のランナー４ｃ，４ｄとが配設される。
【００１８】
後レール３ｂ内には、カーテン生地１ｃを吊下支持するための２個のランナー４ｅ，４ｆと、カーテン生地１ｄを吊下支持するための２個のランナー４ｇ，４ｈとが配設される。前記ランナー４ａ〜４ｈは、本体８の両側に車輪７を備えた両持型ランナーである。
【００１９】
前記ランナー４ａ〜４ｈの本体８は、ハンガーレール２の下方に露出されている。図４に示すように、前記本体８の下部の左右両側には軸受部９が設けられ、その軸受部９間に支持された支軸１０に吊下げ部材１１が前後方向、すなわちハンガーレール２の幅方向に回動可能に支持されている。
【００２０】
前記吊下げ部材１１の中央部には取付孔１２が形成されている。そして、ランナー４ａ，４ｂの本体８に支持される吊下げ部材１１の取付孔１２にキャリア５ａが取着され、前記ランナー４ｃ，４ｄの本体８に支持される吊下げ部材１１の取付孔１２にキャリア５ｂが取着される。
【００２１】
前記ランナー４ｅ，４ｆの本体８に支持される吊下げ部材１１の取付孔１２にキャリア５ｃが取着され、前記ランナー４ｇ，４ｈの本体８に支持される吊下げ部材１１の取付孔１２にキャリア５ｄが取着される。前記キャリア５ａ〜５ｄは、同一幅で形成される。
【００２２】
そして、各キャリア５ａ〜５ｄの前面には前記カーテン生地１ａ〜１ｄの上端部が面ファスナー１３で貼着されている。
図３に示すように、前記ランナー４ｂは、キャリア５ａに対しランナー１個分内側に取着され、前記ランナー４ｃはキャリア５ｂに対しランナー１個分内側に取着される。また、前記ランナー４ｆはキャリア５ｃに対しランナー１個分内側に取着され、前記ランナー４ｇはキャリア５ｄに対しランナー１個分内側に取着される。
【００２３】
前記前レール３ａ内において、ランナー４ｃはランナー４ａ，４ｂ間に配設される。また、前記後レール３ｂ内において、ランナー４ｇはランナー４ｅ，４ｆ間に配設される。
【００２４】
前記キャリア５ｂの後端（図３において左端）には、前記キャリア５ｃに向かって突出するストッパ６ａがほぼランナーと同じ幅で設けられる。前記ストッパ６ａは、キャリア５ｂに対しランナー１個分内側に形成されている。
【００２５】
前記キャリア５ｃの先端部及び後端には、前記キャリア５ｂに向かって突出して、前記ストッパ６ａに係合するストッパ６ｂ，６ｃがほぼランナーと同じ幅で設けられる。このストッパ６ｂ，６ｃ間に、前記ストッパ６ａが突出されている。従って、ストッパ６ａは、ストッパ６ｂ，６ｃ間でのみ同ストッパ６ｂ，６ｃに対し相対移動する。
【００２６】
次に、上記のように構成されたスライドスクリーンの動作を説明する。図１は、各カーテン生地１ａ〜１ｄをハンガーレール２に沿って全閉状態まで引き出した状態を示す。
【００２７】
この状態では、図３に示すように、ランナー４ｂ，４ｃが当接し、ストッパ６ａ，６ｂが当接し、ランナー４ｆ，４ｇが当接している。
この状態から、カーテン生地１ａを収納方向、すなわち図１左方に移動させると、キャリア５ａが同方向へ移動して、やがてハンガーレール２内においてランナー４ａがランナー４ｃに当接する。
【００２８】
この状態から、カーテン生地１ａをさらに同方向に移動させると、キャリア５ａ，５ｂが一体に移動し、カーテン生地１ａとともにカーテン生地１ｂが同方向に移動する。
【００２９】
カーテン生地１ａをさらに同方向へ移動させると、やがてストッパ６ａがストッパ６ｃに当接する。
この状態から、カーテン生地１ｂをさらに同方向へ移動させると、キャリア５ａ〜５ｃが一体に移動し、カーテン生地１ａとともにカーテン生地１ｂ，１ｃが同方向に移動する。そして、キャリア５ａ〜５ｄがハンガーレール２の一端部において重なり合う状態となり、カーテン生地１ａ〜１ｄがハンガーレール２の一端部に収納され、全開状態となる。
【００３０】
また、カーテン生地１ａ〜１ｄを引き出す場合には、カーテン生地１ａを右方へ引き出すと、キャリア５ａが移動して、まずランナー４ｂがランナー４ｃに当接して同ランナー４ｂ，４ｃが一体に移動し、キャリア５ｂが同方向へ移動する。
【００３１】
カーテン生地１ａをさらに同方向へ移動させると、ストッパ６ａがストッパ６ｂに当接して、キャリア５ｂとともにキャリア５ｃが移動する。
カーテン生地１ａをさらに同方向へ移動させると、図３に示すように、ランナー４ｆがランナー４ｇに当接する状態となり、この状態で全閉状態となる。
【００３２】
上記のようなスライドスクリーンを組み立てる場合には、吊下げ部材１１を介してキャリア５ａ〜５ｄを取着したランナー４ａ〜４ｈを前レール３ａ及び後レール３ｂに挿入する。
【００３３】
そして、各キャリア５ａ〜５ｄに面ファスナー１３でカーテン生地１ａ〜１ｄを取着する。
このとき、まず最初にキャリア５ｄにカーテン生地１ｄを取着し、次いでキャリア５ｃ，５ｂ，５ａの順でカーテン生地１ｃ〜１ａを取着するとよい。例えばキャリア５ｂにカーテン生地１ｂを取着する場合には、図５に示すように、キャリア５ａを前方へ回動させると、キャリア５ｂへのカーテン生地１ｂの取付が容易となる。
【００３４】
キャリア５ｃ，５ｄにカーテン生地１ｃ，１ｄを取着する場合にも、その前方に位置するキャリアを前方へ回動させればよい。
上記のように構成されたスライドスクリーンでは、次に示す作用効果を得ることができる。
（１）キャリア５ａ〜５ｄがランナー４ａ〜４ｄに前後方向に回動可能に支持されている。従って、後方に位置するキャリア５ｂ〜５ｄにカーテン生地１ｂ〜１ｄを取着するとき、その前方に位置するキャリア５ａ〜５ｃを前方へ回動させることにより、カーテン生地１ｂ〜１ｄのキャリア５ｂ〜５ｄへの取付を容易に行うことができる。
（２）キャリア５ａ〜５ｄの間隔を増大させる必要がないので、ハンガーレール２の大型化を防止することができる。
【００３５】
（第二の実施の形態）
以下、この発明を具体化した第二の実施の形態を図面に従って説明する。尚、第二の実施の形態は、第一の実施の形態におけるスライドスクリーンをハンガーレールの両端に収納或いは、該ハンガーレールの両端から中央に向かって引き出し可能に吊下支持したものである。従って、第一の実施の形態と同様の箇所はその詳細な説明を省略する。
【００３６】
図６は第二の実施の形態におけるスライドスクリーンの全閉状態を示す概略図である。スライドスクリーンは６枚のカーテン生地２１ａ〜２１ｆを備えており、カーテン生地２１ａ〜２１ｆは操作ポール１９，２０を操作することでハンガーレール２２に沿って移動可能に吊下支持されている。
【００３７】
図７に示すように、ハンガーレール２２は前レール２３ａと後レール２３ｂとから構成されている。前レール２３ａ内にはカーテン生地２１ａを吊下支持するための２個のランナー２４ａ，２４ｂと、カーテン生地２１ｄを吊下支持するための２個のランナー２５ａ，２５ｂと、カーテン生地２１ｅを吊下支持するための２個のランナー２６ａ，２６ｂとが配設される。
【００３８】
後レール２３ｂ内には、カーテン生地２１ｂを吊下支持するための２個のランナー２７ａ，２７ｂと、カーテン生地２１ｃを吊下支持するための２個のランナー２８ａ，２８ｂと、カーテン生地２１ｆを吊下支持するための２個のランナー２９ａ，２９ｂとが配設される。これら各ランナー２４ａ，２４ｂ〜２９ａ，２９ｂはハンガーレール２２に沿って移動可能に支持されている。
【００３９】
ランナー２４ａ，２４ｂにはキャリア３０が取着され、ランナー２５ａ，２５ｂにはキャリア３１が取着され、ランナー２６ａ，２６ｂにはキャリア３２が取着されている。また、ランナー２７ａ，２７ｂにはキャリア３３が取着され、ランナー２８ａ，２８ｂにはキャリア３４が取着され、ランナー２９ａ，２９ｂにはキャリア３５が取着されている。キャリア３０〜３５は各ランナー２４ａ，２４ｂ〜２９ａ，２９ｂに取着されることで前記第一の実施の形態と同様にハンガーレール２２の幅方向に回動可能に支持されている。
【００４０】
キャリア３０及びキャリア３１には操作ポール１９，２０と係合するポールフック１９ａ，２０ａが一体に取着されている。キャリア３０及びキャリア３１は操作ポール１９，２０の操作がポールフック１９ａ，２０ａを介して伝達されることで、開方向或いは閉方向に移動される。
【００４１】
各キャリア３０〜３５の前面には前記カーテン生地２１ａ〜２１ｆの上端部が面ファスナーにて貼着されている。
ランナー２５ａ，２５ｂはキャリア３１に対しランナー１個分内側に取着され、ランナー２６ａはキャリア３２に対しランナー１個分内側に取着される。また、ランナー２７ａはキャリア３３に対しランナー１個分内側に取着され、ランナー２８ｂはキャリア３４に対しランナー１個分内側に取着される。
【００４２】
前記前レール２３ａ内において、ランナー２６ａはランナー２５ａ，２５ｂ間に配設される。また、前記後レール２３ｂ内において、ランナー２７ａはランナー２８ａ，２８ｂ間に配設される。
【００４３】
前記キャリア３０の先端（図７において右端）にはスライドスクリーンを閉操作する際に、ハンガーレールの両端から中央に向かって近付く両キャリア３０，３１に貼着された両カーテン生地２１ａ，２１ｄが衝突しないように両キャリア３０，３１の相対位置を調整するキャリアガイド３６が取着されている。
【００４４】
図８（ａ）〜図８（ｃ）はそれぞれキャリアガイドの正面図、側面図、平断面図を示す。キャリアガイド３６はガイド面３７及び取付孔３８を備えている。ガイド面３７はテーパ状の斜面にて形成されており、キャリア３０への取着時にキャリア３０〜３５の移動方向に対して傾斜するように設定されている。ガイド面３７の端部には頂部３６ａが形成されており、該頂部３６ａはキャリアガイド３６の取着時においてキャリア３１側に突出する。
【００４５】
ガイド面３７は先端（図８（ａ）及び図８（ｃ）において右端）に近付くにつれて徐々にキャリアガイド３６の高さ方向（図８（ｃ）において上下方向）の厚さが薄くなるように形成されている。また、頂部３６ａよりも後方側は後端に近付くにつれて徐々に厚さが薄くなるように形成されている。
【００４６】
ガイド面３７の略中央にはキャリアガイド３６の後面と平行に延びる取付孔３８が形成されている。キャリアガイド３６は該取付孔３８にネジを貫挿することでキャリア３０の先端に取着される。
【００４７】
前記キャリア３０の後端（図７において左端）には、前記キャリア３３に向かって突出するストッパ３９がほぼランナーと同じ幅で設けられる。前記ストッパ３９は、キャリア３０に対しランナー１個分内側に形成されている。また、前記キャリア３２の後端（図７において右端）には、前記キャリア３５に向かって突出するストッパ４０がほぼランナーと同じ幅で設けられる。前記ストッパ４０は、キャリア３２に対しランナー１個分内側に形成されている。
【００４８】
前記キャリア３３の先端部及び後端には、前記キャリア３０に向かって突出して、前記ストッパ３９に係合するストッパ４１ａ，４１ｂがほぼランナーと同じ幅で設けられる。このストッパ４１ａ，４１ｂ間に、前記ストッパ３９が突出されている。従って、ストッパ３９は、ストッパ４１ａ，４１ｂ間でのみ同ストッパ４１ａ，４１ｂに対し相対移動する。
【００４９】
また、前記キャリア３５の先端部及び後端には、前記キャリア３２に向かって突出して、前記ストッパ４０に係合するストッパ４２ａ，４２ｂがほぼランナーと同じ幅で設けられる。このストッパ４２ａ，４２ｂ間に、前記ストッパ４０が突出されている。従って、ストッパ４０は、ストッパ４２ａ，４２ｂ間でのみ同ストッパ４２ａ，４２ｂに対し相対移動する。
【００５０】
次に、上記のように構成されたスライドスクリーンの開閉動作を図６、図７、図９（ａ）、図９（ｂ）、図１０（ａ）及び図１０（ｂ）に基づいて説明する。スライドスクリーンの全閉状態では、図７に示すように、ランナー２７ａ，２８ｂが当接し、ストッパ３９，４１ｂが当接し、ランナー２４ｂ，２５ａが当接し、ランナー２５ｂ，２６ａが当接し、ストッパ４０，４２ａが当接している。
【００５１】
スライドスクリーンを開動作する時には、スライドスクリーンの全閉状態からカーテン生地２１ａ，２１ｄを収納方向に、即ちカーテン生地２１ａが貼着されたキャリア３０は図６において左方向に、カーテン生地２１ｄが貼着されたキャリア３１は図６において右方向に移動させる。
【００５２】
キャリア３０は図６及び図７において左方向へ移動すると、ハンガーレール２２内においてストッパ３９がストッパ４１ａに当接する。
この状態から、キャリア３０をさらに同方向へ移動させると、キャリア３０及びキャリア３３が一体に移動し、カーテン生地２１ａとともにカーテン生地２１ｂが同方向に移動する。そして、キャリア３０，３３，３４がハンガーレール２２の左端部においてハンガーレール２２の幅方向に重なり合う状態となり、カーテン生地２１ａ〜２１ｃがハンガーレール２２の左端部に収納される。
【００５３】
一方、キャリア３１においては、図６及び図７において右側に移動すると、ハンガーレール２２内においてランナー２５ｂがランナー２６ｂに当接する。
この状態から、キャリア３１をさらに同方向へ移動させると、キャリア３１及びキャリア３２が一体に移動し、カーテン生地２１ｄとともにカーテン生地２１ｅが同方向に移動する。そして、キャリア３１，３２，３５がハンガーレール２２の右端部においてハンガーレール２２の幅方向に重なり合う状態となり、カーテン生地２１ｄ〜２１ｆがハンガーレール２２の右端部に収納される。
【００５４】
また、カーテン生地２１ａ〜２１ｆを引き出し、スライドスクリーンを全閉状態とする場合には、操作ポール１９を右方に、操作ポール２０を左方に、即ち両操作ポール１９，２０をハンガーレール２２の中央部に向かって操作すればよい。
【００５５】
詳述すると、キャリア３０及びカーテン生地２１ａを右方に引き出すことで、ストッパ３９がストッパ４１ｂに当接して、キャリア３０とともにキャリア３３が右方へ移動する。
【００５６】
この状態からキャリア３０をさらに同方向へ移動させると、図７に示すように、ランナー２７ａがランナー２８ｂに当接する状態となり、この状態で全閉状態となる。
【００５７】
一方、キャリア３１においては、キャリア３１及びカーテン生地２１ｄを左方に引き出すことで、ランナー２５ｂがランナー２６ａに当接して、キャリア３１とともにキャリア３５が左方へ移動する。
【００５８】
この状態からキャリア３１をさらに同方向へ移動させると、図７に示すように、ランナー２５ａがランナー２４ｂに当接するとともに、ストッパ４０がストッパ４２ａに当接する状態となり、この状態でスライドスクリーンの全閉状態となる。
【００５９】
ここで、全閉状態となる直前のキャリア３０に貼着されたカーテン生地２１ａと、キャリア３１に貼着されたカーテン生地２１ｄとの動作を説明する。
前述したように、キャリア３１は支軸１０（図４参照）にて回動可能に取着されているため、図９（ａ）に示すように、キャリア３０とキャリア３１とが離間している際、スライドスクリーンを閉動作させると該動作に伴ってキャリア３１は支軸１０を中心に揺動する。図１０（ａ）はキャリア３１の下端がキャリア３０側に揺動した状態を示す図である。この時、キャリア３０及びキャリア３１は下端がそれぞれハンガーレール２２の幅方向に近接しており、両キャリア３０，３１に貼着されたカーテン生地２１ａ，２１ｂも互いにハンガーレール２２の幅方向に近接する。
【００６０】
図９（ａ）に示す状態からさらにスライドスクリーンの閉動作を行うと、キャリアガイド３６の頂部３６ａがキャリア３１側に突出しているため、キャリア３１の先端はキャリアガイド３６のガイド面３７に当接する。その後、キャリア３１の先端はガイド面３７に沿ってハンガーレール２２の幅方向においてキャリア３０から離間するように頂部３６ａを越える。
【００６１】
図１０（ｂ）は、キャリア３１の先端がガイド面３７に沿って移動する態様を示す説明図である。上端が支軸１０に取着されているため、キャリア３１はガイド面３７からハンガーレール２２の幅方向においてキャリア３０と離間する方向への力を受けると下端のみがハンガーレール２２の幅方向に移動される。両キャリア３０，３１は下端が互いに離間されることで、キャリア３０，３１及び該キャリア３０，３１に貼着されたカーテン生地２１ａ，２１ｄがともに垂直方向に吊下支持される。
【００６２】
以後、キャリア３１の先端が頂部３６ａを越えると、ランナー２４ｂとランナー２５ａとが当接する位置（図７及び図９（ｂ）参照）まで閉動作が行われ、スライドスクリーンが全閉状態となる。
【００６３】
上記のように構成されたスライドスクリーンでは、第一の実施の形態に記載の作用効果に加え、次に示す作用効果を得ることができる。
（１）スライドスクリーンを閉動作する際に、キャリア３１をキャリアガイド３６のガイド面３７にそって移動させることで、両キャリア３０，３１及び両キャリア３０，３１に貼着されたカーテン生地２１ａ，２１ｄはともに垂直方向に吊下支持される。従って、カーテン生地２１ａ，２１ｂが互いに離間し、スライドスクリーンの閉動作の際にカーテン生地２１ａ，２１ｂの端部が互いに衝突するのを抑制することができ、スライドスクリーンをスムーズに閉動作することができる。
（２）スライドスクリーンの閉動作の際にカーテン生地２１ａ，２１ｂの下方においてカーテン生地２１ａ，２１ｂの端部が衝突したとしても両キャリア３０，３１の近傍に位置するカーテン生地２１ａ，２１ｂはハンガーレール２２の幅方向において離間されている。そのため、両キャリア３０，３１の近傍に位置するカーテン生地２１ａ，２１ｂの端部が衝突することがなく、該カーテン生地２１ａ，２１ｂをハンガーレール２２の幅方向において確実に重ね合わせることができる。従って、カーテン生地２１ａ，２１ｂの下方において、両カーテン生地２１ａ，２１ｂの端部が衝突したとしても、両キャリア３０，３１の近傍に位置する両カーテン生地２１ａ，２１ｂに追随させて下方に位置する両カーテン生地２１ａ，２１ｂを容易に重ね合わせることができる。その結果、スライドスクリーンをスムーズに閉動作することができる。
【００６４】
上記実施の形態は、次に示すように変更することもできる。
・吊下げ部材とキャリアとを一体化させてもよい。
・ハンガーレールは任意の本数でもよい。
・キャリアガイドは両開き構造のスライドスクリーンのうちの片側にのみ取着したが、ハンガーレールの中央にて重合するカーテン生地を貼着するキャリアの両側に取着してもよい。
・キャリアは電動でスライドするものでもよい。
【００６５】
【発明の効果】
以上詳述したように、この発明はカーテン生地の間隔を増大させることなく、カーテン生地を容易に取付け得るスライドスクリーンを提供することができる。
【図面の簡単な説明】
【図１】スライドスクリーンを示す正面図である。
【図２】スライドスクリーンを示す側面図である。
【図３】ランナーとキャリアとの取付位置を示す説明図である。
【図４】ランナーを示す斜視図である。
【図５】カーテン生地の取付操作を示す説明図である。
【図６】第二の実施の形態のスライドスクリーンを示す正面図である。
【図７】第二の実施の形態のランナーとキャリアとの取付位置を示す説明図である。
【図８】（ａ）〜（ｃ）はキャリアガイドを示す説明図である。
【図９】（ａ），（ｂ）はスライドスクリーンの作用を示す説明図である。
【図１０】（ａ），（ｂ）はスライドスクリーンの作用を示す説明図である。
【符号の説明】
１ａ〜１ｄ、２１ａ〜２１ｆ        カーテン生地
２、２２        ハンガーレール
４ａ〜４ｈ、２４ａ，２４ｂ〜２９ａ，２９ｂ        ランナー
５ａ〜５ｄ、３０〜３５        キャリア
３６        キャリアガイド
３７        ガイド面
【図１】
2004243093.tif 000003
【図２】
2004243093.tif 000004
【図３】
2004243093.tif 000005
【図４】
2004243093.tif 000006
【図５】
2004243093.tif 000007
【図６】
2004243093.tif 000008
【図７】
2004243093.tif 000009
【図８】
2004243093.tif 000010
【図９】
2004243093.tif 000011
【図１０】
2004243093.tif 000012